Podtech/llm-jp-corpus-v4-ja_patent huggingface dataset:
(57)【要約】      （修正有）【課題】中身が少なくなっても容器の内部に空気が入らず、食品が空気に触れないことにより酸化を防止する流動性食品の容器を提供する。【解決手段】流動性食品を薄い内袋と分厚い外袋の二重容器に収納し、外側容器と内側容器の間に空気の層ができることで、流動性食品が直接空気に触れなくなり内容物の酸化を防止する。【選択図】図１
2015120548.tif 000002
【特許請求の範囲】
【請求項１】
復元性のある外袋と、復元性の無い薄い内袋の二重容器、マヨネーズとマーガリン以外の流動性の食品を対象とする。
【発明の詳細な説明】
【技術分野】
【０００１】復元性のある外袋と、復元性の無い薄い内袋の二重の容器。内側の容器に入れられた流動性の食品は、空気には触れないため酸化しない。
【申請の背景】
【０００２】私は、実用新案に酸化防止容器２４２４を登録していますが、請求の範囲をマヨネーズ及びマーガリンの容器としている為、改めてマヨネーズとマーガリン以外の流動性食品とする。
【図面の簡単な説明】
【０００３】
【図１】  二重容器の、外側容器は復元性のある容器とし、内側容器については食品安全性の高い、薄い復元性のない容器とする。これにより内側容器と外側容器の間に空気の層ができる、食品安全性の高い内側容器に流動性の食品を入れることにより、直接空気と触れないために食品が酸化し難くなる。
【図１】
2015120548.tif 000003
(57)【要約】【課題】スリングのずれを防止し、セグメントの玉掛け作業の安全性向上を図る。【解決手段】スリング３を用いてセグメント１を吊り上げる際に、かつセグメントの重心から等距離にスリングを固定する固定治具であって、スリングを把持する把持部材と、把持部材とセグメントを固定するための円筒状の嵌合部とを備え、嵌合部はセグメントが備える孔に嵌合部を嵌合させて固定する。【選択図】図２
2015120583.tif 000002
【特許請求の範囲】
【請求項１】
セグメントの玉掛け時に、スリングのずれを防止する、玉掛け固定治具であって、
スリングを固定する把持部材と、
セグメントのリング間ボルト孔に嵌合させる嵌合部と、を備え、
前記嵌合部は、セグメントのリング間ボルト孔に嵌合することを特徴とする、固定治具。
【発明の詳細な説明】
【技術分野】
【０００１】
本発明は、吊り具を用いてセグメントを吊り上げるための玉掛け具に関するものである。
【背景技術】
【０００２】
トンネル掘削に用いるシールド工法では、シールド機の内部で地山を支持するための鋼製や鉄筋コンクリート製のセグメントをリング状に組み立て、リングを軸方向に連接してトンネルを形成する工法である。トンネル形状のほとんどが円状のため、セグメントの多くは円弧状である。
セグメントを吊り上げる際は、図３のようにセグメントを複数に積み重ねた状態で、両端が環状になったスリング（以下、「スリング」と言う）を２本用い、セグメント底部に掛け、両端を吊り具に連結し吊り上げていた。
【０００３】
特許文献１では、吊り荷が下方に突出する曲面を有している場合、２本のスリングが離間するのを防ぐために、抱持部の一側と他側を互いに連結する連結部６を備えている。
【先行技術文献】
【特許文献】
【０００４】
【特許文献１】特開２００２−８７７５３号公報
【発明の概要】
【発明が解決しようとする課題】
【０００５】
２本のスリングを使って図３のようにセグメントを吊り上げる際、セグメントの形状は円弧状のため、２本のスリングは離間する方向に力が働き、スリングがずれてセグメントが落下する可能性がある。また、２本のスリングの位置は、セグメントの重心から等距離でないとセグメントは安定せず、セグメントが落下する可能性がある。
【０００６】
特許文献１に記載される玉掛け具を用いることは、２本のスリングを連結する連結部を備えているため離間することを防ぐことはできるが、玉掛け具の位置は、玉掛け作業をする者が任意の場所に掛け止めて地切りするため、必ずしも吊り荷の重心から等距離であるとは言えない。さらに、地切りの際に玉掛け具がずれる可能性がある。
【０００７】
本発明が解決しようとする課題は、セグメントを吊り上げる際に、スリングが離間することを防止すると同時に常にスリングの位置がセグメントの重心から等距離であり地切りの際のずれも防止することによりセグメントの落下を防止し、玉掛け作業の安全性を図ることである。
【課題を解決するための手段】
【０００８】
前記課題を解決するために、本発明は、セグメントを吊り上げる際にスリングの位置を固定するための固定治具であり、スリングを把持する把持部材と、把持部材とセグメントを固定するための円筒状の嵌合部とを備え、嵌合部はセグメントが備える孔に嵌合部を嵌合させて固定することを特徴としている。
【発明の効果】
【０００９】
本発明の玉掛け固定治具によれば、スリングの離間を防止することができ、地切りの際にスリングがずれることもない。また、スリングの位置がセグメントの備える孔の位置に必ず位置し、セグメントの重心位置から等距離にスリングを設置することができ、地切りの際にスリングがずれることもない。
【図面の簡単な説明】
【００１０】
【図１】本発明に係る実施形態の玉掛け固定治具の構成図である。
【図２】本発明に係る実施形態の固定治具の使用状況を示す側面図である。
【図３】従来技術に係るセグメントの吊り上げを行なっている側面図である。
【発明を実施するための形態】
【００１１】
以下、本発明の実施形態を図面に基づき説明する。
【００１２】
図１は玉掛け固定治具の構成図である。スリング３を把持する把持部材６と、把持部材の裏面に垂直に取り付けられた嵌合部７で構成されている。
【００１３】
吊り荷である複数のセグメント1に玉掛けする際、予め最下段のセグメントのリング間ボルト孔５に、玉掛け固定治具４の嵌合部７を嵌め合わせる。その後、スリング３を把持部６の内側を通し、セグメント底部を掛止する。この時、セグメント１の重心から、最も遠いリング間ボルト孔５を選択するのが良い。
【００１４】
セグメント1には通常、セグメントリング間をボルトで結合するためにリング間ボルト孔５が備わっている。このリング間ボルト孔５は、等間隔で設置されていることが殆どである。また、セグメント端部はこのリング間ボルト孔間隔の中央に位置する。よって、リング間ボルト孔５に位置する玉掛け固定治具４は、セグメント１の重心位置から等距離の場所に位置することになるので、当然、玉掛け固定治具４の内側を通しているスリング３もセグメント１の重心位置から等距離の場所に位置する。
【００１５】
玉掛けをする際は、スリング３を緩めた状態で玉掛けを行い、吊り上げることによりスリング３は緊張状態となる。これを地切りという。地切りの際、衝撃でスリング３がずれることがある。しかし、スリング３は把持部材６によって、セグメント１の円周方向にずれることを制限する。よって、スリング３がセグメント１の円周方向にずれることを防止できる。
【００１６】
図３のように、セグメント１をスリング３を用いて吊り上げた場合、スリング３はセグメント１の重心位置から離間する方向（矢印８）の力が働く。スリング３とセグメント１の間に働く摩擦力が離間する方向に働く力が釣り合わず、摩擦力が足らない場合はスリングがずれる。しかし、当実施形態では把持部６によりスリング３のずれを防止するため、スリング３がセグメント１の重心から離間することはない。
【００１７】
把持部６の形状の断面は、台形の上底が無い形状である。これは、スリングを玉掛け固定治具４にスリングを通しやすい形状であり。また、台形の脚に当たる部分は、地切りの際にスリングが緩み、玉掛け固定治具４から外れることを防止できる。
【００１８】
嵌合部７をセグメント１に嵌合する場合は、ナット等で固定する必要は無いし、嵌合部もネジを切る必要はない。これは、セグメント１を吊り上げる際は、玉掛け固定治具４には、セグメントに押し付けられる方向か、セグメントの円周方向にのみ力がかかるので、玉掛け固定治具は抜け出すことはない。
【００１９】
以上のことから、セグメント１の落下を防止することができ、玉掛け作業の安全性が向上する。
【符号の説明】
【００２０】
１    セグメント
２    フック
３    スリング
４    玉掛け固定治具
５    リング間ボルト孔
６    把持部
７    嵌合部
【図１】
2015120583.tif 000003
【図２】
2015120583.tif 000004
【図３】
2015120583.tif 000005
(57)【要約】【課題】  スマートホン、タブレット、ゲーム機を手や、指から滑り落ちにくくしたり、手や指の負担を軽減する為に、スマートホングリップ、タブレットグリップ、ゲームグリップを提供する。【解決手段】  スマートホンカバーに手の甲側の支えをつけたり、指を支える指間部、移動式リングをつけたりすることで、手から滑り落ちにくくしたり、手や指の負担を軽減できるようにした。  また、グリップ部分にて手の甲が汗ばんでしまわぬよう空気穴を開けたり、指穴も各人に合うサイズや、位置にとりつけられる移動型にすることで、様々にデザイン性も求め、より、万人に親しんで扱ってもらえるようにした。  使用の際には、あくまでも安静時に使用するものとして移動時、歩行時、運転時などの際には使用しないことこれらの際に使用することにより、大変な危険を伴う可能性がある為、この注意事項を守ったうえで扱いができるよう提案する。【選択図】図１
2015192448.tif 000002
【特許請求の範囲】
【請求項１】
（１）スマートホン、タブレット、ゲーム機を、手から滑り落ちにくくしたり、手、指の負担を軽減させる為に、手の甲側や指間部の支えをつけたこと。そして、より、快適さとデザイン性を求める為、空気穴をつけたり、指の位置の移動ができるようにしたこと。
【発明の詳細な説明】
【技術分野】
【０００１】  本発明は、スマートホン、タブレット、ゲーム機を操作する際に、手から滑り落ちにくくする為や、手・指をサポートする為のものである。
【背景技術】
【０００２】  従来は、手や指を支える為の、スマートホンカバー、タブレットカバーゲーム機カバーは無かった。（以下、総称して  スマートホンカバーと述べる）
【先行技術文献】
【０００３】
【発明の概要】
【発明が解決しようとする課題】
【０００４】  従来のスマートホンカバーでは、スマートホンが手から滑り落ちる危険性が高く、指に非常に力を込めて支えなくてはならない為、指の痛みを生ずることのある難点もあった。本発明は、この課題を解消する為に成されたものである。
【課題を解決する為の手段】
【０００５】  スマートホンカバー▲３▼に、手の甲側を支えるグリップ部▲１▼▲２▼や、指の部分を支える  指間支え▲４▼をつけたりし、滑落しにくくしたり手、指の負担を軽減できるようにした。
また、グリップ部にて、手が汗ばんでしまわぬよう、空気穴を開ける型▲５▼、指穴を各人に合う様に移動式の型▲６▼▲７▼など、様々なデザイン性を求めることにより、より万人に親しんで扱ってもらえるようにした。
【発明の効果】
【０００６】  スマートホンを扱っている時、手・指の負担が軽減され安定して持ちやすくなる為、手から滑り落ちることを防ぎやすくする。
また、手の甲側での支えができる為、従来、小指などでスマートホンの下部を支えて持っていた人々にとっては  スマホ指の対策として視野に入れられる。
【図面の簡単な説明】
【０００７】
【図１】本発明品の使用状態を示す断面図である。
【図２】本発明品の正面図である。
【図３】スマートホンカバー、タブレットカバー（総称してスマートホンカバーと示す）
【図４】本発明品の指間支え型である。
【図５】本発明品のグリップ部に空気穴を開ける型である
【図６】本発明品の指穴移動式の型である。
【図７】本発明品の指穴移動式用の指用移動式リングである。
【発明を実施する為の形態】
【０００８】  以下、本発明品の実施形態について説明する。
（イ）スマートホンカバー本体部分▲３▼に、甲側の支え▲１▼▲２▼指間支え▲４▼空気穴▲５▼など、それぞれのタイプに合わせ、組み合わせ、支えをつけていく。
（ロ）指穴移動型は、スマートホン本体に  移動式リングを止められる穴▲６▼をつけておく。各人が自分の好みの位置に移動式リング▲７▼を、付けられるようにする。
（ハ）（イ）、（ロ）、の際、各スマートホンについている  カメラレンズ、ジャック、ライト、操作ボタンなどの付いているそれぞれのか所に尽いては、スマートホンカバーやグリップ部など当たったり、ふさいだり、影にかくれてしまうことのないよう、穴をあけたり、その部位を避けてグリップ部をつけたりする。
【符号の説明】
【０００９】１  スマートホングリップ（甲支えつき断面図）
２  グリップ部
３  スマートホンカバー  タブレットカバー
４  指間支え
５  空気穴つきグリップ部
６  移動式指間支えカバー
７  移動式リング
８  ゲーム機本体カバー
９  ゲーム機グリップ
【図１】
2015192448.tif 000003
【図２】
2015192448.tif 000004
【図３】
2015192448.tif 000005
【図４】
2015192448.tif 000006
【図５】
2015192448.tif 000007
【図６】
2015192448.tif 000008
【図７】
2015192448.tif 000009
【図８】
2015192448.tif 000010
【図９】
2015192448.tif 000011
【手続補正書】
【提出日】平成26年5月29日(2014.5.29)
【手続補正２】
【補正対象書類名】明細書
【補正対象項目名】０００７
【補正方法】変更
【補正の内容】
【０００７】
【図１】本発明品の使用状態を示す断面図である
【図２】本発明品の正面図である
【図３】一般的スマートホンカバー、タブレットカバー（総称して“スマートホンカバー”と示す）
【図４】本発明品の指間支えグリップ型である
【図５】本発明品のグリップ部に空気穴を開ける型の正面図である
【図６】本発明品の指穴移動式型の正面図である
【図７】本発明品の指穴移動式型の指穴移動式リングである
【図８】一般的ゲーム機本体、リモコンカバーである
【図９】本発明品のゲーム機・リモコングリップ型である
(57)【要約】【課題】まな板を除菌及び消毒または洗浄するということは、食品衛生上非常に大切な事である。これらの作業は、大量の水と大容量の容器が必要である。本発明は、少量の水と除菌、洗浄剤だけで、容器も必要なく、作業が出来てしまう施工装置の提供を目的とする。【解決手段】本発明の装置は、まな板本体にエッヂをつけることにより、除菌、洗浄液がこぼれずに、除菌、洗浄し、無駄な除菌、洗浄液の削減ができる装置である。また、素材は、あらゆる素材が採用される装置。【選択図】図１
2015192775.tif 000002
【特許請求の範囲】
【請求項１】
まな板の除菌及び洗浄を目的とし、まな板本体のエッヂ部分、裏表両面をカールさせる事により、除菌液、洗浄液が少量で、ほぼ前面に塗付されることになる。食の衛生さが問われる現在、少量の洗浄液で、毎日まな板を、除菌、洗浄できるとする画期的な、発明装置
【請求項２】
エッヂの高さは１ｍｍ以上、洗浄液のこぼれぬ程度である。
【発明の詳細な説明】
【技術分野】
【０００１】
まな板の除菌や洗浄について、家庭における今までの除菌や洗浄は、まな板が入る大きさのボールやバケツ、もしくはシンク自身の栓をして除菌液や洗浄液につけていた。この方法は、まな板を１００％液中に沈める事によって除菌洗浄の効果を最大限期待する事ができる。しかしデメリットとして、この方法では大量の除菌、洗浄液が必要になってくる。週に１回程度しか除菌や洗浄が出来ないというのも、頷ける話である。  この対策としては、まな板にそのまま、除菌、洗浄液を塗付する事が最善の方法である。本発明は、これらの対策を簡単に行える。主として、まな板の本体を変形させ、除菌液や洗浄液をまな板上に、こぼさず留め置く為の装置
【背景技術】
【０００２】
家庭の主婦にとって少しでも安くて良い物を求め、家族に提供したいというのは勿論である。捨てるのも極力控えたい。その様な中でまな板を洗う際、大量の除菌、洗浄液が平気で廃棄されている。本来であれば少量の液で済むであろうに、大いに無駄である。これは早急に改善しなければならない喫緊の課題である、いかにして、少量の液で除菌、洗浄できないのか。との想いから、除菌、洗浄液をまな板本体に留め置く技術を発明した。本発明は、これらの課題を最小限の費用で解決できる装置
【発明の概要】
【発明が解決しようとする課題】
【０００３】
従来のまな板は、方形でその辺についても、フラットでエッヂが効いていなかった。フラットであるということは、その上に乗った液体はこぼれるのは当然である。本発明装置はフラットである辺端にエッヂを効かせる事で、液体がこぼれないように発明されている。
【課題を解決するための手段】
【０００４】
本発明では、まな板に、今までになかった加工を施してあるので、本来の使い勝手を損なわしてはならない。この課題解決のため下記の手段を採用する。
【発明の効果】
【０００５】
まな板を除菌する場合、５リットルの水に５０ミリリットルの除菌液が必要とされる。本発明装置では、２５センチメートル×４０センチメートルのまな板の場合、エッヂの高さ５ミリメートルとすると、水５００ミリリットル弱に除菌液は５ミリリットル弱、ほとんど１０分の１で済んでしまう。本発明の効果は大である。
【図面の簡単な説明】
【０００６】
図１は全体図である。
【発明を実施するための形態】
【０００７】
まな板本体図１のエッヂ部分を１ｍｍから１０ｍｍの範囲でカールさせるのが最良の状態である。
【符号の説明】
【０００８】
a  エッヂのカール部分
【産業上の利用可能性】
【０００９】
一般家庭用で認識しているが、鮮魚店や精肉店など産業上の利用可能性がある発明。
【図１】
2015192775.tif 000003
(57)【要約】      （修正有）【課題】パームレスト、アームレストの必要に応じた使用を可能としたマウス補助具を提供する。【解決手段】台となる板一方に湾曲を設け、湾曲内側にスリットの入った滑り止めを設け、一方内側にジェル状粘着材３を設ける。スベリ止め２のスリットを机角にスリットを当て、机との平行を整え、スリットを中心にジェル状粘着材３を机に押当て固定する。【選択図】図１
2015099575.tif 000002
【特許請求の範囲】
【請求項１】
一方が湾曲した板に湾曲を設け、板内側にスリット状スベリ止めを設け、平坦部先端にジェル状粘材を設けたマウス補助具と、
湾曲した板に由る高さ角度調節をし、スリット状スベリ止めによる机への位置決め、ジェル状粘着材に由る机への固定するマウス台。
【発明の詳細な説明】
【技術分野】
【０００１】  本発明は、パームレスト、アームレストの必要に応じた使用を可能としたマウス補助具に関するものである
【背景技術】
【０００２】  従来からのパームレスト、マウスパッドに付属したパームレスト、机、または、椅子肘掛けに固定されるアームレスト、多関節アームレストが市販されている。
【先行技術文献】
【特許文献】
【０００３】
【特許文献１】  特開１１−２９６２９９１１号公報
【発明の概要】
【発明が解決しようとする課題】
【０００４】  マウスを使用する姿勢は、手首から肘に掛け一直線が理想である。
肘掛けの有無、好み、それぞれの目的に応じて使い分ける必要がある。
理想的な姿勢を提供するアームレストは、机に固定すると大きく邪魔になるかクランプ、ネジ止めされ配置に考慮を必要とし、椅子肘掛けに固定は椅子デザインを損ねる。
他関節アームレストは、自由度は高いながら肘に安定感が失われ高価格、設置条件に制限がある。
パームレストは、マウス操作の妨げることがあり、肘掛けのない椅子での使用では机の角との摩擦がストレスになる。
本発明は以上の問題点を解決するためになされたものである。
【課題を解決するための手段】
【０００５】  台となる板一方に湾曲を設け、湾曲内側にスリットの入った滑り止めを設け、一方内側にジェル状粘着材を設ける。
以上の構成よりなるマウス台。
【発明の効果】
【０００６】  机、椅子肘掛けと一体と成りパームレスト、アームレス両方を備え、取り付け場所を選ばない理想的なポジションが見つかる補助具である。
【図面の簡単な説明】
【０００７】
【図１】  本発明の斜視図である。
【発明を実施するための形態】
【０００８】  以下本発明の実地をするための形態について説明する。
（イ）板、一方に湾曲（１）設ける。
（ロ）板（１）の湾曲した内側スリットの入ったスベリ止め（２）を設ける。
（ハ）板（１）平坦部下にジェル状粘着材（３）を設ける。
本発明は以上のような構造である。
本発明を使用するときは、スベリ止め（２）スリットを机角にスリットを当て、机との平行を整え、スリットを中心にジェル状粘着材（３）机に押当て固定する。
マウス台２／１ほどが机よりせり出していてもマウス操作で上から掛かる力は、ジェル状粘着材（３）により安定し、アームレストとして使用、椅子肘掛けとの距離の調整ができ、理想的姿勢である手首と肘が一直線の姿勢を取れる。
湾曲部の高さ調節により手首が下向きではパームレストの役割になり、マウスを持ち上げる動作で手首が一直線になり上に持ち上げる移動量が少なく、ストレスの少ない姿勢になりやい。
【符号の説明】
【０００９】  １  マウス台
２  スリット状スベリ止め
３  ジェル状粘着材
【図１】
2015099575.tif 000003
【図２】
2015099575.tif 000004
【手続補正書】
【提出日】平成26年1月14日(2014.1.14)
【手続補正１】
【補正対象書類名】明細書
【補正対象項目名】全文
【補正方法】変更
【補正の内容】
【発明の詳細な説明】
【技術分野】
【０００１】  本発明は、パームレスト、アームレストの必要に応じた使用を可能としたマウス補助具に関するものである
【背景技術】
【０００２】  従来からのパームレスト、マウスパッドに付属したパームレスト、机、または、椅子肘掛けに固定されるアームレスト、多関節アームレストが市販されている。
【先行技術文献】
【特許文献】
【０００３】
【特許文献１】  特開１１−２９６２９９１１号公報
【発明の概要】
【発明が解決しようとする課題】
【０００４】  マウスを使用する姿勢は、手首から肘に掛け一直線が理想である。
肘掛けの有無、好み、それぞれの目的に応じて使い分ける必要がある。
理想的な姿勢を提供するアームレストは、机に固定すると大きく邪魔になるかクランプ、ネジ止めされ配置に考慮を必要とし、椅子肘掛けに固定は椅子デザインを損ねる。
他関節アームレストは、自由度は高いながら肘に安定感が失われ高価格、設置条件に制限がある。
パームレストは、マウス操作の妨げることがあり、肘掛けのない椅子での使用では机の角との摩擦がストレスになる。
本発明は以上の問題点を解決するためになされたものである。
【課題を解決するための手段】
【０００５】  台となる板一方に湾曲を設け、湾曲内側にスリットの入った滑り止めを設け、一方内側にジェル状粘着材を設ける。
以上の構成よりなるマウス台。
【発明の効果】
【０００６】  机、椅子肘掛けと一体と成りパームレスト、アームレスト両方を備え、取り付け場所を選ばない理想的なポジションが見つかる補助具である。
【図面の簡単な説明】
【０００７】
【図１】  本発明の斜視図である。
【図２】  本発明の本発明の使用状態を示す側面図である。
【発明を実施するための形態】
【０００８】  以下本発明の実地をするための形態について説明する。
（イ）板、一方に湾曲（１）設ける。
（ロ）板（１）の湾曲した内側スリットの入ったスベリ止め（２）を設ける。
（ハ）板（１）平坦部下にジェル状粘着材（３）を設ける。
本発明は以上のような構造である。
本発明を使用するときは、スベリ止め（２）スリットを机角にスリットを当て、机との平行を整え、スリットを中心にジェル状粘着材（３）机に押当て固定する。
マウス台２／１ほどが机よりせり出していてもマウス操作で上から掛かる力は、ジェル状粘着材（３）により安定し、アームレストとして使用、椅子肘掛けとの距離の調整ができ、理想的姿勢である手首と肘が一直線の姿勢を取れる。
湾曲部の高さ調節により手首が下向きではパームレストの役割になり、マウスを持ち上げる動作で手首が一直線になり上に持ち上げる移動量が少なく、ストレスの少ない姿勢になりやい。
【符号の説明】
【０００９】  １  マウス台
２  スリット状スベリ止め
３  ジェル状粘着材
(57)【要約】【課題】従来の光センサースッチは、電気の種類の、電流電圧の大きさよって使用制限されていた。しかも複雑な電気回路も必要としていた。【解決手段】太陽光パネルとリレーを使い、太陽光パネルで発生した直流電流で、リレーの電磁石を作動させ、スイッチとなる接点を動かす。暗くて電流が発生しないときは、接点は動かない。その状態でも使用する。太陽光パネルで発生した直流電気で電磁石が作動しているかいないかで、別系統に、電気に接続された器機のスイッチとして作動させる。【選択図】図１
2015099901.tif 000002
【特許請求の範囲】
【請求項１】
（１）太陽光パネルを光センサーとし，リレーと組み合わせた、あらゆる種類の電気電流、器機に対応した光センサースイッチ、フォトスイッチ。
【発明の詳細な説明】
【技術分野】
【０００１】  発明は、太陽光パネルは光があたっていれば直流電気を発生し、光にあたらなければ電気を発生しない。太陽光パネルに光が当たって発生した直流電気で、リレーの電磁石に磁力を発生させ、接点を動かしＯＮ、ＯＦＦするスイッチである。
【背景技術】
【０００２】  太陽光パネルは明るければいつも光を直流電気に変換する。
発生した電気で、リレーの電磁石で磁力に変換し、スイッチとする。光がないときは電気が発生しないので磁力も発生しない。リレーの接点を変える事によりスイッチとする事ができる。【０００３】  本発明は、明るい所では太陽光パネル発生する直流電気発生する磁気と、器機のＯＮ、ＯＦＦする電気の系統が別々なので、器機が直流であろうと、交流であろうと、電圧、電流が大きくても、小さくても、電気の特性にかかわらず自動的に電気のＯＮ、ＯＦＦができる。
【発明が解決しようとする課題】
【０００４】  解決しようとする問題点は、従来の半導体光センサーを用いると、小さな電流の制御しかできないし、直流、交流の使用制限もある。さらに複雑な電気回路も必要とする。交流、直流いろいろな種類の電気に接続された器機に対応できていない。
【解決するための手段】
【０００５】  本発明は、光がある時は太陽光パネルで直流の電気を起こる。その電気でリレー内の電磁石に直流電気を流し磁力を発生させる。結果、光に応じて、自動的に接点に接続された器機の電気のＯＮ、ＯＦＦをする。
【発明の効果】
【０００６】  太陽光パネルとリレーを組み合わせ光センサーとして用いる事により、電気の種類に関係なく器機のスイッチのＯＮ、ＯＦＦを明るさに応じて自動的にする事ができる。その分、節電にもなる。
【図面の簡単な説明】
【０００７】
【図１】簡単な配電回路図の説明  ▲１▼電気を必要とする器機  ▲２▼電源です。交流もあれば、直流もある。電源が太陽光パネルであれば、光センサーとしても利用できる。▲３▼リレー  リレー内の番号接点に番号をふった。リレーの種類によって異なる。１、５は器機に接続。２、６は電源接続。３、７は電源に接続  ４、８は光センサーとなる太陽光パネルに接続し、電磁石となるコイルに接続する。器機によっては＋、−に注意する必要が生じる場合もある。▲４▼太陽光パネルである。光センサー、明かりセンサーとなる。器機の種類によっては器機の電源として使用する事もできる。
【発明を実施するための形態】
【０００８】  太陽光パネル、リレーと簡単な接続の電気回路での、光センサースイッチ、フォトスイッチである。
【実施例】
【０００９】  一例として、太陽光パネルを光センサースイッチとして使う事により、夕方、夜になればＬＥＤライトを自動的に点灯させ、朝になれば自動的に消える。
【産業上の利用可能性】
【００１０】  使用する器機が交流だろうと、直流だろうと、高電圧、低電圧であろうと、高電流低電流であろうと、電気の種類にとらわれず光センサースッチ、フォトスイッチとして利用できる。
【図１】
2015099901.tif 000003
(57)【要約】      （修正有）【課題】全方向からの集音効果に優れ、見た目も目立たず、長時間装着しても使用者の体への負担が少なく、はずした時は重ねられるので場所をとらず、健常者にもテレビなどを視聴する時に利用できる、低価格で集音を目的とするための集音補助具を提供する。【解決手段】耳を覆うカバー１と耳掛けフック２から成る集音補助具において、耳の後ろから柔軟性にすぐれた樹脂やシリコンゴム素材などで耳の形状に添うように半球状に耳を覆うカバー１を形成し、カバー内側３の全面にウレタンフォーム等のような集音効果にすぐれた素材を貼り、耳のすぐ後ろに当たる部分域に耳掛けフック２を設ける。【選択図】図１
2015099343.tif 000002
【特許請求の範囲】
【請求項１】
耳を覆うカバーと耳掛けフックから成る集音補助具において、耳の後ろから柔軟性にすぐれた樹脂やシリコンゴム素材などで耳の形状に添うように半球状に耳を覆うカバーを形成し、カバー内側の全面にウレタンフォーム等のような集音効果にすぐれた素材を貼り、耳のすぐ後ろに当たる部分域に耳掛けフックを設けることを特徴とする集音補助具。
【発明の詳細な説明】
【技術分野】
【０００１】  本発明は集音補助具に関するものである。
【背景技術】
【０００２】  従来ご高齢で難聴ぎみの方は高額な補聴器や集音器に頼らざるを得なかった。頭部や耳に掛け留める部材の両端に、反射板用の集音部材を取りつけた先行技術も知られている（特許文献１参照）。
【先行技術文献】
【０００３】
【特許文献１】  特開２０００−２２８７９８号公報
【発明の概要】
【発明が解決しようとする課題】
【０００４】  補聴器や集音器は高くてなかなか買えない。参照文献に示される先行技術は、集音部材に縦方向への湾曲面はあるが、横方向へはフラットな面なので、到着した音波の捕集効果が半減されると思われ、又、ヘッドフォンのように掛着するのでは、あまりに目立ちすぎ、使用者にとっても長時間の使用は違和感が募って不快度が増すと思われる。
本発明は以上の問題点を解決するものである。
【課題を解決するための手段】
【０００５】  耳を覆うカバーと耳掛けフックから成る集音補助具において、耳の後ろから柔軟性にすぐれた樹脂やシリコンゴム素材などで耳の形状に添うように半球状に耳を覆うカバーを形成し、カバー内側の全面にウレタンフォーム等のような集音効果にすぐれた素材を貼り、耳のすぐ後ろに当たる部分域に耳掛けフックを設ける。
以上の構成よりなる集音補助具である。
【発明の効果】
【０００６】  本発明により、安価で集音器を購入できる。また全方向から集音効果に優れており、見た目も目立たず、長時間装着しても使用者の体への負担は少ない。はずした時は重ねられるので場所をとらない。また健常者の方にもテレビなどを視聴する時に利用できる。
【図面の簡単な説明】
【０００７】
【図１】本発明の斜視図
【図２】本発明の実施例を示す正面図
【図３】本発明の実施例を示す側面図
【発明を実施するための形態】
【０００８】  以下本発明の実施の形態を説明する。
耳を覆うカバー（１）と耳掛けフック（２）から成る集音補助具において、耳の後ろから柔軟性にすぐれた樹脂やシリコンゴム素材などで耳の形状に添うように半球状に耳を覆うカバー（１）を形成し、カバー内側（３）の全面にウレタンフォーム等のような集音効果にすぐれた素材を貼り、耳のすぐ後ろに当たる部分域に耳掛けフック（２）を設ける。
本発明は以上のような構成であり、これを実際に使用する時はカバーを持ち、耳を覆うように装着しフックを耳に掛ける。
【符号の説明】
【０００９】１  カバー、      ２  耳かけフック、      ３  カバー内側、      ４  耳、
５  カバー外側、
【図１】
2015099343.tif 000003
【図２】
2015099343.tif 000004
【図３】
2015099343.tif 000005
(57)【要約】【課題】  ＬＥＤを光源とする照明器具は、ＬＥＤ収納部がゴムパッキンなどで密閉されているが、液体は浸入しなくても腐食性ガスはゴムパッキンを通過するため、腐食性ガスによりＬＥＤおよびプリント基板の露出銅箔部が腐食し短寿命になる。【解決手段】  腐食性ガス雰囲気でＬＥＤ照明器具の腐食による短寿命を解決するため、電極を金メッキしたＬＥＤを使用し、ＬＥＤを取り付けるプリント基板のパターン銅箔部すべてを金メッキするか、プリント基板パターン部のＬＥＤが半田付けされる銅箔部以外は金メッキせず、腐食性ガスに腐食されない樹脂でコーティングする。【選択図】図１
2015099900.tif 000002
【特許請求の範囲】
【請求項１】
電極を金メッキしたＬＥＤを、配線パターン銅箔部をすべて金メッキしたプリント基板に取り付けてなるＬＥＤ照明器具。
【請求項２】
配線パターン銅箔部のＬＥＤを取り付ける箇所のみ金メッキし、その他の配線パターン銅箔部は腐食性ガスに侵されない樹脂でコーティングしてなる前記記載のＬＥＤ照明器具。
【発明の詳細な説明】
【技術分野】
【０００１】  本発明は、腐食性ガスなどの発生する場所で使用されるＬＥＤ照明器具に関するものである。
【背景技術】
【０００２】  従来、腐食性ガスが発生するような悪環境下では、主として蛍光灯を光源とする耐食耐酸器具が使用されていた。ＬＥＤを光源とする器具は一般環境下では省エネ性に優れているため蛍光灯、水銀灯に替わって採用されてきているが、腐食性ガスが発生する場所ではＬＥＤが腐食性のガスで腐食されて短寿命になるため使用されていなかった。
【発明の開示】
【発明が解決しようとする課題】
【０００３】  ＬＥＤを光源とする照明器具は、ＬＥＤ収納部がゴムパッキンなどで密閉されているが、液体は浸入しなくても腐食性ガスはゴムパッキンを通過するため、腐食性ガスによりＬＥＤおよびプリント基板の露出銅箔部が腐食し短寿命になる。
【課題を解決するための手段】
【０００４】  腐食性ガスによるＬＥＤ照明器具の腐食による短寿命を解決するため、本発明は電極を金メッキしたＬＥＤを使用し、プリント基板のパターン銅箔部を金メッキした。【０００５】  また、ＬＥＤを半田付けする箇所の銅箔部のみ金メッキして、他のパターン銅箔部は腐食性ガスに腐食されない樹脂でコーティングしてもよい。
【発明の効果】
【０００６】  本発明によれば、ＬＥＤ電極を金メッキし、プリント基板のパターン銅箔部を金メッキすることにより腐食ガスの存在する環境であってもＬＥＤは腐食されず、銅箔部も侵されないため照明器具は長期にわたって使用でき、省エネにもなる。【０００７】  また、プリント基板パターン部のＬＥＤが半田付けされる銅箔部以外の銅箔部は金メッキせず、腐食性ガスに腐食されない樹脂でコーティングしても同様の効果が得られる。
【発明を実施するための最良の形態】
【０００８】  以下、図面に基づき本発明の実施の形態を説明する。【０００９】  図１は、本発明の一実施例を示すＬＥＤ照明器具の平面図である。
図２は、本発明のＬＥＤの内部構造を示す断面図である。【００１０】  このＬＥＤ照明器具は、図１に示すように、プリント基板１に電極を金メッキしたＬＥＤ２が複数個取り付けられていて、各ＬＥＤの配線パターンの銅箔部３は金メッキされている。ＬＥＤ２が取り付けられたプリント基板１は、器具ケース４に内蔵され、ＬＥＤ２の前面にはＬＥＤ２の光を拡散するアクリルのカバー５が取り付けられている。当然器具ケース４は腐食性ガスに腐食されない材質のものを使用している。【００１１】  図２はＬＥＤ２の内部断面図で、ＬＥＤチップ２１は金メッキをした電極２２が接続されている。腐食性ガスがシリコンなどの封入樹脂２３を通じてＬＥＤ内部に侵入すると従来の銀メッキ電極のＬＥＤであれば、銀が腐食するためＬＥＤの光束が劣化したり、ＬＥＤチップ２１と電極２２を接続するボンディングワイヤー２４が電極２２の接合部で外れて故障するため短寿命になるが、本発明は電極が金メッキされているので腐食性ガスで腐食されることはない。【００１２】  プリント基板１の配線パターンの銅箔部３は、金メッキしているので腐食性ガスで腐食されることはない。銅箔部３が金メッキされていないと銅箔が腐食性ガスで酸化され錆びて断線してしまう。【００１３】  各ＬＥＤの配線パターン銅箔部３の、ＬＥＤ２が半田付けされる銅箔部以外を金メッキせず、その部分を腐食性ガスに腐食されない樹脂、例えばフロンでコーティングしても銅箔部は錆びることなく金メッキするのと同様の効果が得られる。【００１４】  以上の結果、腐食性ガスのある場所での使用が可能になり、長寿命で省エネになる照明器具を提供できる。
【図面の簡単な説明】
【００１５】
【図１】本発明の一実施例を示すＬＥＤ照明器具の平面図。
【図２】本発明のＬＥＤの内部構造を示す断面。
【符号の説明】
【００１６】１・・・プリント基板          ２・・・電極を金メッキしたＬＥＤ
２１・・・ＬＥＤチップ        ２２・・・金メッキした電極
２３・・・封入樹脂            ２４・・・ボンディングワイヤー
３・・・配線パターンの銅箔部
４・・・器具ケース
５・・・アクリルカバー
【図１】
2015099900.tif 000003
【図２】
2015099900.tif 000004
(57)【要約】      （修正有）【課題】段ボール印刷を環境にやさしい水性のフレキソ印刷で行うに、美しい印刷をするために必要な項目の一つであるインキのアルカリ性を維持するために必要なｐＨ測定を行い監視するシステムを提供する。【解決手段】インキタンク７からインキ供給ポンプ８で印刷機９へ送り、タンク７に戻るインキ循環ラインのポンプ８の出口で分岐し、インキ開閉弁１０、インキ流量調整弁４の下流にオーバーフローを設けたチャンバ１にｐＨ電極２を取付けた測定部を設け、チャンバのインキを制御すべくプロセスバルブ３を設け、水洗の自動制御のための水電磁弁１１、データ処理、制御および操作のための盤５および注意喚起のためにパトライト（登録商標）６を設ける。【選択図】図１
2015063114.tif 000002
【特許請求の範囲】
【請求項１】
段ボールフレキソ印刷で、インキタンク（７）からインキ供給ポンプ（８）で印刷機（９）へインキを送り印刷し、余剰インキがタンク７に戻るインキ循環ラインのポンプ８の出口で分岐し、インキ開閉弁（１０）、インキ流量調整弁（４）の下流にオーバーフローを設けたチャンバ（１）にｐＨ測定のためｐＨ電極（２）を取付けた測定部を設け、チャンバ１内のインキ量を制御すべくプロセスバルブ（３）を設け、水洗の自動制御のための水電磁弁（１１）、データ処理、制御および操作のための盤（５）および注意喚起のためのパトライト（６）を設けたｐＨ監視システム。
【発明の詳細な説明】
【技術分野】
【０００１】  本発明は段ボール水性フレキソインキのｐＨ監視システムに関するものである。
【背景技術】
【０００２】  段ボールの印刷は油性から環境にやさしい水性のフレキソ印刷に変わってきているが、同時にどちらかというとフレキソ印刷が不得手な美粧化も求められている。  一般的には段ボールシートに直接美粧な印刷することは困難とされていたが、最近では国内外でインキの色数を増やすべく印刷ユニット数を多くして美粧印刷を目指している。  また美粧化のためにはインキの品質の維持も重要な要素であり、段ボールシートに付着するインキ量を均一にするために粘度を維持のための粘度コントロールも重要であるが、同時にインキの適正なアルカリ度を維持することも重要である。  インキは顔料、樹脂、アルコール分、水が主成分でアルコール分以外は中性で、主としてアルコール分が揮発し酸性化すると主成分の顔料と樹脂の適正な結合関係が崩れインキの均一性に問題が出やすい。  アルコール分の揮発は気温の影響を大きく受けるが、インキによってアルコールの種類が異なる上に同じインキでも季節によって成分を変える場合もあり、ｐＨを測定しても自動供給して制御することは難しい。  ｐＨは水素イオン濃度で測定法はすでに確立されており、ハンディータイプから厳しい条件で使用するプロセス用まで色々の製品があり使用されている。
【発明の開示】
【発明が解決しようとする課題】
【０００３】  フレキソインキによる段ボール印刷の美粧化で、美しい印刷をするために必要な項目の一つであるアルカリ性を維持するために必要なｐＨを把握し監視する。  現在は段ボールフレキソ印刷においてはｐＨの測定、監視を行っていないので実施できる装置を提供する。
【課題を解決するための手段】
【０００４】  図１に本発明の概念図を示す。  インキタンク７からインキ供給ポンプ８で印刷機９にインキを送り印刷し、余剰のインキを回収するインキ循環ラインで、ポンプ８の直後で分岐しその後にインキ開閉弁１０およびインキ流量調整弁４を設ける。  ｐＨ電極２を取付けチャンバ１内のインキ量を保つべくオーバーフローを設け、チャンバ内を空にすべく下流にプロセスバルブ３を設けインキタンク７に戻す。  またラインを洗浄するために水電磁弁１１を設ける。  ｐＨ電極２、プロセスバルブ３および水電磁弁１１のデータ処理や制御、操作するための盤５を持ち、外部出力としてパトライト６を設ける。
【発明の効果】
【０００５】  インキのｐＨ値の把握がパトライトでリアルタイムに遠隔から確認できると、アルコール分を補給するあるいは新缶のインキを追加する等の作業をオペレータが行え、印刷不良による無駄をなくすことができるようになる。
【発明を実施するための最良の形態】
【０００６】  図２のインキ粘度コントローラと併設の場合の概念図に基づき説明する。  インキ粘度コントローラとは機器がかなり共用できるので好都合である。位置的にも粘度測定部（１２）の隣にチャンバが配置できれば良いし、盤５は大きくすれば共用できるしパトライト６も並べられる。  ポンプ８の後で分岐しインキ流量調整弁４で流量調整しそれぞれの測定部に向かうが、チャンバ１後のプロセスバルブ３の開閉でインキの有無の制御を行いｐＨ電極２でｐＨ値の測定を行うが、インキ粘度の測定部前のインキの供給、停止を行うプロセスバルブの開閉信号と共用でき、盤５内のシーケンサ１式で両方を制御する。
【実施例１】
【０００７】  図１は単独に設置する場合で、インキタンク７からインキ供給ポンプ８で印刷機９へ送り印刷し、余剰のインキがタンク７に戻るインキ循環ラインのポンプ８の出口で分岐し、インキ開閉弁１０、インキ流量調整弁４の下流にオーバーフローを設けたチャンバ１にｐＨ電極２を取付けた測定部を持ち、チャンバ１のインキ量を制御すべくエア駆動のプロセスバルブ３を設け、さらに水洗の自動制御のための水電磁弁１１、ｐＨ値のデータ処理、制御、操作等のための盤５および注意喚起のためにパトライト６を設けたｐＨ監視システム。
【実施例２】
【０００８】  図２はインキ粘度コントローラと併設の場合でインキ粘度コントローラとは機器が共用できるので好都合である。  位置的にも粘度測定部１２の隣にチャンバが配置できれば良いし、盤は大きくすれば一つにできるしパトライトも並べられる。  ポンプ８の後で分岐しインキ流量調整弁でそれぞれの測定部に向かうが、インキ粘度の場合は測定部の前のプロセスバルブの開閉でインキの供給、停止を行い時間測定しインキ粘度を出す。  盤５内のシーケンサで両方を制御するが、その開閉のタイミングの信号もチャンバ１の出口のプロセスバルブの開閉に使える。
【産業上の利用可能性】
【０００９】  この発明のシステムでフレキソインキのｐＨを常時監視し、適正とされる８．５−９．５を維持することにより適正な印刷が維持できる。  現在特に段ボールを用いたＰＯＰに必要な美粧印刷を推進するのに、多額の費用を要する色数を増やすことでなく、インキの高品質を維持するのに有効な方法の一つなので、利用の可能性は広い。
【図面の簡単な説明】
【００１０】
【図１】  本発明の概念図である。
【図２】  インキ粘度コントローラと併設の場合の概念図である。
【符号の説明】
【００１１】  １  チャンバ
２  ｐＨ電極
３  プロセスバルブ
４  インキ流量調整弁
５  盤
６  パトライト
７  インキタンク
８  インキ供給ポンプ
９  印刷機
１０  インキ開閉弁
１１  水電磁弁
１２  粘度測定部
【図１】
2015063114.tif 000003
【図２】
2015063114.tif 000004
(57)【要約】【課題】本発明は、線材でできているハンドル部をなくし使用時にかさばりが少ないクリップを提供することを課題とする。【解決手段】線材を折り曲げて、１つの平面上で２つの同形の三角形同士がそれぞれの１つの頂点付近で２本の平行で同じ長さの直線でつながる状態にし、各三角形の前記２本の直線につながる頂点と対向する辺同士が互いに近接する向きの弾発力が常時作用して押圧部となるように、前記２本の直線のそれぞれの両端で、前記二つの三角形の部分を対向するように折り曲げ、前記押圧部の中央は、着脱具の先端を挿入できる隙間ができるように迂回させてあり、前記２本の直線の間隔は、２本の直線の両端を着脱具の支点とすることができるよう前記押圧部に設けた前記着脱具の挿入部の幅よりは狭くなっており、前記２本の直線の長さが挟持する書類の最大の厚さとなる、構成とした。【選択図】図１
2015063132.tif 000002
【特許請求の範囲】
【請求項１】
線材を折り曲げて、１つの平面上で２つの同形の三角形同士がそれぞれの１つの頂点付近で２本の平行で同じ長さの直線でつながる状態にし、
各三角形の前記２本の直線につながる頂点と対向する辺同士が互いに近接する向きの弾発力が常時作用して押圧部となるように、前記２本の直線のそれぞれの両端で、前記二つの三角形の部分を対向するように折り曲げ、
前記押圧部の中央は、着脱具の先端を挿入できる隙間ができるように迂回させてあり、
前記２本の直線の間隔は、２本の直線の両端を着脱具の支点とすることができるよう前記押圧部に設けた前記着脱具の挿入部の幅よりは狭くなっており、
前記２本の直線の長さが挟持する書類の最大の厚さとなる、
クリップ。
【発明の詳細な説明】
【技術分野】
【０００１】
この発明は、線材を立体形状に折り曲げ加工したクリップに関する。
【背景技術】
【０００２】
挟持部が線材でできており、線材でできているループ状のハンドル部を有するクリップが市販されている。
【発明の概要】
【発明が解決しようとする課題】
【０００３】
前記クリップは、線材でできているループ状のハンドル部があるために使用時に結束部がかさばる欠点がある。
また、着脱の時だけに使用するハンドル部を常時クリップに固定しておくことは資源の浪費になる。
【０００４】
本発明は、線材でできているハンドル部をなくし使用時にかさばりが少ないクリップを提供することを課題としている。
【課題を解決するための手段】
【０００５】
上記の目的を達成するために、本発明のクリップは、線材を折り曲げて、１つの平面上で２つの同形の三角形同士がそれぞれの１つの頂点付近で２本の平行で同じ長さの直線でつながる状態にし、各三角形の前記２本の直線につながる頂点と対向する辺同士が互いに近接する向きの弾発力が常時作用して押圧部となるように、前記２本の直線のそれぞれの両端で、前記二つの三角形の部分を対向するように折り曲げ、前記押圧部の中央は、着脱具の先端を挿入できる隙間ができるように迂回させてあり、前記２本の直線の間隔は、２本の直線の両端を着脱具の支点とすることができるよう前記押圧部に設けた前記着脱具の挿入部の幅よりは狭くなっており、前記２本の直線の長さが挟持する書類の最大の厚さとなる、構成とした。
【発明の効果】
【０００６】
ハンドル部がない分だけ使用時のかさばりを少なくすることが可能である。
また、図２に示したような道具を使用すれば、本発明のクリップで容易に書類束を挟持することが可能であり、また、その取り外しも容易である。
図２に示したような道具は普及していないが、構造は単純であり、安価に製造することが可能であり、大量に製造して広く普及させることは可能である。
【図面の簡単な説明】
【０００７】
【図１】本発明のクリップの実施例の斜視図である。
【図２】本発明のクリップの着脱具の１例の斜視図である。
【図３】本発明のクリップにクリップ着脱具を挿入した状態の斜視図である。
【発明を実施するための形態】
【０００８】
発明を実施するための形態は、図１のとおりである。
【０００９】
押圧部中央の迂回部が着脱具引掛け部３となる。
【符号の説明】
【００１０】
１    本発明のクリップ
２    支点部
３    着脱具引掛け部
４    押圧部
５    クリップ着脱具
【図１】
2015063132.tif 000003
【図２】
2015063132.tif 000004
【図３】
2015063132.tif 000005
(57)【要約】      （修正有）【課題】風力発電で、実用化されているのはプロペラ型がほとんどであるが、１台で、数万ＫＷの装置は開発されていない。翼長１００ｍ出力１万ＫＷを目ざすのがやっとで、それもまだコスト高など実用化には致ってない。【解決手段】これは、プロペラ型の幾何学的短所のせいで、直線翼は中心軸に両端、及び中央を直結出来るので強度や質量増の問題が解決出来る。ただし直線翼は自己起動力が小さく回転方向の分力も小さい（発電能力が小さい）が、「（１）直線翼の設定角度を半径方向と４５°をなすようにして回転方向の分力を大きくする。（２）抗力型とハイブリッドにして自己起動力を補う。（３）超多翼として迎え角の多様状態を作り、発電力を増大させる」ことにより解決し、揚力型翼と抗力型翼を合体し垂直軸発電装置を作ることを前回発表したが今回は垂直軸を水平軸とすることで、翼長数百ｍ出力数万ＫＷでも建設費を抑え実用化可能の設計とした。【選択図】図１−１
2015063996.tif 000002
【特許請求の範囲】
【請求項１】
垂直軸風力発電装置（直線翼やダリウス型など）は大型化を目ざすためには、翼長を長くするため、高さ方向の建設費が高くなりすぎるので、水平軸とすることにより、翼長を極度に長くしても建設費を抑え大容量発電を可能にした、揚力抗力型ハイブリット風力発電装置。
【請求項２】
水平軸抗力型翼に対し「相方向からの風力を把え」、「集風及び指向化を行う」集風指向化装置を抗力型翼の手前に設け、軸の上下の広範囲から風力エネルギーを集めることが出来るように設計された、「相方向集風指向化装置付抗力型翼」を持つ抗力型風力発電装置。
【発明の詳細な説明】
【発明の詳細な説明】
【技術分野】風力を用いて発電する分野
【背景技術】風力発電において世界中で稼動しているのはほとんどプロペラ型の水平軸発電装置であり、垂直軸ではダリウス式が少し稼動しているだけで、もう一つの直線翼は数ＫＷの小型が少し運用されているにすぎない
【先行技術文献】
出力数万ＫＷは前代未問であり先行技術はない。
【発明の概要】
【発明が解決しようとしている課題】
現在運用されているプロペラ型の翼を数百ｍにすれば出力数万ＫＷは可能であるが質量増とそれに伴う強度の問題が解決出来ず、１００ｍ翼を有し出力が１万ＫＷのプロペラ型発電装置すら、開発実用化されていない
これはプロペラ式の幾何学的欠点から来る問題で、本発明では、「翼の両端及び中間点（複数）を中心軸に繋ぎ翼長を安価な材料でも、数十ｍ〜数百ｍとすることで大容量発電を可能とした。ただし、垂直軸では数１００ｍとするには装置全体を支える支持フレームが高額になりすぎて限界がある。
垂直軸では、ダリウス型の１００ｍ４ＭＷがやっと実験的に作られたにすぎず、実用化にはほど遠いのが現状である。
【課題を解決するための手段】
図１−１に示すように垂直軸を水平軸にすることにより翼長を長くしても支持フレームの高さはあまり高くする必要なく建設コストを抑えられるので、垂直軸で実現出なかった翼長数百ｍ（数十ｍを横に何列か繋いだ形で、繋ぎ目を支持フレームにベアリング接続する）を可能とした。但し、抗力型の集風装置は垂直軸では無指向であったが図１−２に示すように相方向型に変更。これにより一方向（相方向）の風を地上数ｍ〜数十ｍまで広範囲に把えることが出来るようになる。鉄骨又は木造と、ビニールシート又はパネルで安価に済ませることが出来るが、「集風装置をＲＣ」とすることにより（揚力型とハイブリッドとすることなく）、抗力型のみで、強風地帯で半自動的に発電し続ける抗力型風力発電装置となる。
海上の浮体式では３ユニットを３角形に組むことにより、あらゆる方向の風を把え又シケにも強い装置とする。原野、半砂漠でも一方向だけでなくそれと直角の方向の装置を組むことで、（相方向のため）死角のほとんどない装置とすることが出来る。抗力型が揚力型の回りすぎを抑制するので抗力型は揚力型の半分位の長さとし、抑制力を大きくする。
抗力型翼揚力型翼、共に、ＰＥＴ樹脂などのペットボトル細胞と、ＤＰ７８０フレームで超安価に軽く作成する。強風にも強いので、パタゴニア  シベリア  北海道の強風高エネルギー地帯で大きな力を発揮する。又、強風で翼が壊れても、超安価なので消耗品のように取変えればよい。コンピュータ制御など高価なものは一切必要なく、機器コスト、建設コスト
2015063996.tif 000003
コストも超安い。翼長の総和を数百ｍとしても（数十ｍを横に繋いで数百ｍとする）（繋ぎ目は支持フレームとベアリング接続建設が簡単に低コストで出来るので、出力数万ＫＷが可能となる。
【発明の効果】
シベリア、パタゴニア  中央アジアなどの原野及び海上で大量の電気が得られるようになるので、現地で水を電気分解し、Ｈ２とＯ２として回収。
数年〜数十年後、燃料電池が各家庭に普及し、燃料電池の電気自動車が普通となる時代がやってくる。もちろん原発や火力発電（Ｈ２を燃やして発電させるため残す）は不要となり、地球温緩化もストップする。
原野、半砂漠の据付け型（据置に近い）（量産型）は、現在のプロペラ型最小コスト９円／１ＫＷの数分の１のコストで発電するので、エネルギー革命がおこる。
【図面の簡単な説明】
【図１】全体概要図
【図１−１】垂直軸→水平軸揚力型翼及び抗力型翼を有するハイブリッド型風力発電装置
【図１−２】抗力型垂直方向断面図（Ｂ部）
【図１−３】揚力型垂直方向断面図（Ａ部）
【図２】翼断面図
【図３】設置場所及び設置機
【図３−１】原野、半砂漠での据置型
【図３−２】原野半砂漠、及び洋上の代表的設置例
【図３−３】原野半砂漠及び海上の超大型
【図３−４】ＲＣを支柱とする超大型と団地
【図３−５】その他の設置場所設置例
【図１】
2015063996.tif 000004
【図１−１】
2015063996.tif 000005
【図１−２】
2015063996.tif 000006
【図１−３】
2015063996.tif 000007
【図２】
2015063996.tif 000008
【図３】
2015063996.tif 000009
【図３−１】
2015063996.tif 000010
【図３−２】
2015063996.tif 000011
【図３−３】
2015063996.tif 000012
【図３−４】
2015063996.tif 000013
【図３−５】
2015063996.tif 000014